(57)【要約】【課題】  開示する収納ケースは、表示装置について通常使用時の視認性を保つと共に、ユーザーの使用感を低下させずに、防水・防塵の機能を果たしながら携帯情報端末を収納する。【解決手段】  開示する収納ケースは、表示装置を備える携帯情報端末を覆って収納し、内側が該携帯情報端末に密着する携帯情報端末収納ケースであって、前記表示装置の外縁内側に配置される開口部と、当該携帯情報端末収納ケースの外側から内側へ空気が流入することを防止する逆止弁を備え、当該携帯情報端末収納ケースの内側から外側へ空気を吸い出すための空気吸引口と、前記開口部の内側周囲に該開口部の開口形状に沿って配置され、前記空気吸引口に通じ空気を導くための空気通路と、を有することを特徴とする。【選択図】図５
2017229045.tif 000002
【特許請求の範囲】
【請求項１】
表示装置を備える携帯情報端末を覆って収納し、内側が該携帯情報端末に密着する携帯情報端末収納ケースであって、
前記表示装置の外縁内側に配置される開口部と、
当該携帯情報端末収納ケースの外側から内側へ空気が流入することを防止する逆止弁を備え、当該携帯情報端末収納ケースの内側から外側へ空気を吸い出すための空気吸引口と、
前記開口部の内側周囲に該開口部の開口形状に沿って配置され、前記空気吸引口に通じ空気を導くための空気通路と、を有することを特徴とする携帯情報端末収納ケース。
【請求項２】
前記空気吸引口から前記空気通路内の空気を吸引することによって、前記開口部を、収納する前記携帯情報端末に密着させることを特徴とする請求項１に記載の携帯情報端末収納ケース。
【請求項３】
前記携帯情報端末がカメラ装置を備える場合、
前記カメラ装置の周囲を囲むように配置される第２開口部を有し、
前記空気通路が、前記第２開口部の内側周囲に該第２開口部の開口形状に沿って配置されることを特徴とする請求項１又は２に記載の携帯情報端末収納ケース。
【請求項４】
前記空気吸引口が配置され、
前記空気通路が、当該携帯情報端末収納ケースの内側を通って前記空気吸引口に通じていることを特徴とする請求項１乃至３の何れか一に記載の携帯情報端末収納ケース。
【請求項５】
伸縮性を備える軟質の材料で形成されることを特徴とする請求項１乃至４の何れか一に記載の携帯情報端末収納ケース。
【発明の詳細な説明】
【技術分野】
【０００１】
スマートフォンやタブレット端末のような携帯情報端末を収納するための携帯情報端末収納ケースの技術に関する。
【背景技術】
【０００２】
携帯情報端末とは、携帯して利用可能な通信機器や情報機器のことであって、例えば、スマートフォンやタブレット端末などと呼ばれる機器のことである。
近年、携帯情報端末は、タッチパネル式の表示装置を備え、表示装置がユーザーインターフェースの機能を果たす場合も多い。
【０００３】
携帯情報端末は電子機器であるため、埃っぽい環境での使用や機器内部への水の侵入等によって、故障が引き起こされる場合が多々ある。そういった状況を防ぐ目的等もあり、携帯情報端末の収納ケースについては、多数の研究・開発がなされ、知的財産権を取得するための出願も盛んに行われている。
【０００４】
例えば、特許文献１及び２では、携帯情報端末の全体を覆い、内部の空気を脱気し、収納容器を端末に密着させることによって、防塵・防水を図ると共に、収納した機器の操作性を高めることを意図した携帯情報端末収納ケースが提案されている。
【先行技術文献】
【特許文献】
【０００５】
【特許文献１】実用新案登録第３１４３４７５号公報
【特許文献２】実用新案登録第３１０３３２６号公報
【発明の概要】
【発明が解決しようとする課題】
【０００６】
しかしながら、上記の従来技術においては、携帯情報端末全体を覆う構成であるため、表示装置も覆われてしまい、通常の使用状態と比べると、表示装置の視認性が悪いという問題点を有する。
【０００７】
また、上記の従来技術においては、携帯情報端末全体を覆う構成であり、通常と異なる使用形態を強いられるため、ユーザーにとっては違和感があり使用感も落ちるという問題点を有する。
【０００８】
そこで本発明では、上記問題点に鑑み、表示装置について通常使用時の視認性を保つと共に、ユーザーの使用感を低下させずに、防水・防塵の機能を果たしながら携帯情報端末を収納する携帯情報端末収納ケースを提供することを目的とする。
【課題を解決するための手段】
【０００９】
開示する携帯情報端末収納ケースの一形態は、表示装置を備える携帯情報端末を覆って収納し、内側が該携帯情報端末に密着する携帯情報端末収納ケースであって、前記表示装置の外縁内側を開口させた開口部と、当該携帯情報端末収納ケースの外側から内側へ空気が流入することを防止する逆止弁を備え、当該携帯情報端末収納ケースの内側から外側へ空気を吸い出すための空気吸引口と、前記開口部の内側周囲に該開口部の開口形状に沿って配置され、前記空気吸引口に通じ空気を導くための空気通路と、を有することを特徴とする。
【発明の効果】
【００１０】
開示する携帯情報端末収納ケースは、表示装置について通常使用時の視認性を保つと共に、ユーザーの使用感を低下させずに、防水・防塵の機能を果たしながら携帯情報端末を収納する。
【図面の簡単な説明】
【００１１】
【図１】本実施の形態に係る携帯情報端末収納ケースの表側斜視図である。
【図２】本実施の形態に係る携帯情報端末収納ケースの裏側斜視図である。
【図３】本実施の形態に係る空気吸入口の断面図である。
【図４】本実施の形態に係る空気吸引器を示す図である。
【図５】本実施の形態に係る携帯情報端末収納ケースの表側断面斜視図である。
【図６】本実施の形態に係る携帯情報端末収納ケースの裏側断面斜視図である。
【発明を実施するための形態】
【００１２】
図面を参照しながら、本発明を実施するための形態について説明する。
（本実施の形態に係る携帯情報端末収納ケースの構造）
【００１３】
図１乃至６を用いて、本実施の形態に係る携帯情報端末収納ケース（以下、単に「収納ケース」という。）１の構造について説明する。図１は、表示装置１８とカメラ装置２０を備えた携帯情報端末１６を収納した状態の収納ケース１の表側斜視図であり、図２は、その裏側斜視図である。図３は、収納ケース１と携帯情報端末１６との間に介在する空気を脱気し、外部の空気を内部に流入させないための逆止弁８付き空気吸引口６の一例の断面図であり、図４は、空気吸引口６から空気を脱気するために使用する空気吸引器３０の一例を示す図である。図５は、収納ケース１の表側断面斜視図であり、図６は、収納ケース１の裏側断面斜視図である。
【００１４】
収納ケース１は、携帯情報端末１６を覆って収納するための収納ケースであり、収納ケース１の内側は、携帯情報端末１６に密着する。携帯情報端末１６とは、スマートフォンやタブレット型コンピューター等、携帯して利用可能な通信機器や情報機器のことである。また、携帯情報端末１６は、表示装置１８やカメラ装置２０を備え、特に表示装置１８は、液晶パネルのような表示装置とタッチパッドのような位置入力装置を組み合わせたタッチパネル式のものであることが好適である。
図１乃至３、５、６で示すように、収納ケース１は、開口部２、第２開口部４、空気吸引口６、空気通路１０を有する。
【００１５】
図１で示すように、開口部２は、表示装置１８の外縁内側に配置される開口構造を有する部位である。
【００１６】
図１で示すように、第２開口部４は、カメラ装置２０の外縁内側に配置される開口構造を有する部位である。
【００１７】
なお、開口部位は、上記２つに限られず、携帯情報端末１６が備えるガラス等の平滑部に合わせて、同様のものをさらに設ける形態であっても良い。
【００１８】
空気吸引口６は、収納ケース１の内側から外側へ空気を吸い出すための部位であり、逆止弁８を有する。図２で示すように、空気吸引口６は、開口部２とは反対側の表面に配置されていても良く、その他の位置に配置される形態であっても良い。
【００１９】
逆止弁８は、収納ケース１の外側から内側へ空気が流入することを防止する部位であり、図３（ａ）（ｂ）で示すように、例えば、逆止弁８は、脱気用微小孔２２、硬質フィルム２４、軟質フィルム２６、ダイヤモンド状加工硬質フィルム２８で構成される。図４で示すような空気吸引器３０を脱気用微小孔２２に宛がいながら、空気吸引器３０のピストンを引いたり押したりすることによって、収納ケース１（空気通路１０）と携帯情報端末１６との間に介在する空気を脱気することができる。
【００２０】
図３（ａ）で示すように、収納ケース１（空気通路１０）内部の空気は、軟質フィルム２６及びダイヤモンド状加工硬質フィルム２８の間を通り、脱気用微小孔２２から吸引することができる。図３（ｂ）で示すように、内部の空気を吸引した後、軟質フィルム２６が大気圧によりダイヤモンド加工された硬質フィルム２８に密着することによって、逆止弁８が収納ケース１の外側から内側へ空気が流入することを防止する。
【００２１】
なお、空気吸引口６及び逆止弁８は、収納ケース１の内側から外側へ空気を吸い出し、外側から内側へ空気が流入することを防止する機能を備えていれば、他のどの様な構成であっても適用可能である。
【００２２】
図５及び６で示すように、空気通路１０は、開口部２及び第２開口部４の内側周囲に、開口部２及び第２開口部４の開口形状に沿って配置され、空気吸引口６に通じ、空気吸引口６へ空気を導く部位である。空気通路１０は、開口部２及び第２開口部４の内側に、開口形状の端部から壁一枚隔てて配置される溝状の部位である。
【００２３】
空気通路１０は、収納する携帯情報端末１６について表側・裏側それぞれに配置され、表側に配置される部位と裏側に配置される部位とが連通している。本実施の形態においては、空気吸引口６が開口部２の反対側に配置されているため、空気通路１０は、収納ケース１の内側側部を通って表側と裏側とが連通しているが、その他の形態であっても良い。
なお、収納ケース１は、伸縮性を備える軟質材料（例えば、シリコン等）で作製されることが好適である。そうすることによって、開口部２を表示装置１８に密着させることができる他、開口部２が携帯情報端末１６よりも小さいにも関わらず、携帯情報端末１６を容易に出し入れさせることができる。また、そうすることによって、携帯情報端末１６が備える押下式のスイッチを、収納ケース１の外から操作することができる。
（本実施の形態に係る携帯情報端末収納ケースの使用方法）
図１乃至６を用いて、収納ケース１の使用方法について説明する。
【００２４】
はじめにユーザーは、携帯情報端末１６が備える表示装置１８及びカメラ装置２０の位置が開口部２及び第２開口部４それぞれと合うように、収納ケース１の中に携帯情報端末１６を収納する。収納ケース１が有する開口部は、携帯情報端末１６よりも小さいが、収納ケース１を伸縮性に富む軟質材料で形成することにより、収納可能となる。
【００２５】
次にユーザーは、脱気用微小孔２２に空気吸引器３０を宛がいながら、空気吸引器３０のピストンを前後させることによって、収納ケース１（空気通路１０）と携帯情報端末１６との間に介在する空気を脱気する。図３（ｂ）で示すように、脱気後、軟質フィルム２６が大気圧によりダイヤモンド加工された硬質フィルム２８に密着することによって、逆止弁８が収納ケース１の外側から内側へ空気が流入することを防止し、収納ケース１（空気通路１０の両縁）と携帯情報端末１６との密着状態が保たれる。なお、ここで示した空気通路１０内の空気の脱気方法は、一例であるので、他の脱気方法が採用されても良い。同様に、ここで示した空気通路１０内への空気の逆流防止の機構についても、他の機構が採用されても良い。
【００２６】
上記のような動作を行うと、空気通路１０内の空気圧が大気圧よりも低くなるため、開口部２及び第２開口部４が、表示装置１８及びカメラ装置２０の外縁部付近に張り付き、開口部２及び第２開口部４において、収納ケース１が携帯情報端末１６に密着した状態となる。
【００２７】
そうすると、携帯情報端末１６は、表示装置１８及びカメラ装置２０を除く部位が収納ケース１に覆われた状態となる。加えて、表示装置１８及びカメラ装置２０は、表面がガラス部材等で覆われており、表面が平滑であるため、その周囲にて開口部２及び第２開口部４が密着した状態となっているため、表示装置１８及びカメラ装置２０は外部に曝されているが、携帯情報端末１６としては収納ケース１によって防水・防塵が施されたこととなる。
【００２８】
また、表示装置１６がタッチパネル式の表示装置である場合、収納ケース１を装着した携帯情報端末１６について、ユーザーインターフェースである表示装置１８が通常時（収納ケース１を使用していない時）と同じ状態であるため、ユーザーは通常時と同じように携帯情報端末１６を操作することができる。同様に、収納ケース１を装着した携帯情報端末１６について、ユーザーは、通常時と同じようにカメラ装置２０も利用することができる。
【００２９】
このように、収納ケース１は、表示装置１８が外部に曝された状態であるため、表示装置１８について通常使用時の視認性を保つと共に、ユーザーの使用感を低下させずに、防水・防塵の機能を果たしながら携帯情報端末１６を収納する。
【００３０】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００３１】
１    携帯情報端末収納ケース
２    開口部
４    第２開口部
６    空気吸引口
８    逆止弁
１０  空気通路
１２  携帯情報端末収納ケースの外側
１４  携帯情報端末収納ケースの内側
１６  携帯情報端末
１８  表示装置
２０  カメラ装置
２２  脱気用微小孔
２４  硬質フィルム
２６  軟質フィルム
２８  ダイヤモンド状加工硬質フィルム
３０  空気吸引器
【図１】
2017229045.tif 000003
【図２】
2017229045.tif 000004
【図３】
2017229045.tif 000005
【図４】
2017229045.tif 000006
【図５】
2017229045.tif 000007
【図６】
2017229045.tif 000008